(57)【要約】【課題】高速で回転している絵柄を誰でも容易に狙って揃えることを可能にし、さらに新たなゲーム性を持つスロットマシンを提供する。【解決手段】通常の回転リールの動作や絵柄や絵柄配列に影響を与えないあくまで演出用の回転リール（目押しサポートリール）を通常の回転リールの内側に通常の回転リールとは別々に回転できるように備え、目押しサポートリールに光を通す部分と光を通さない部分を設け、通常の回転リール上にある任意の絵柄に合わせ目押しサポートリールの光を通す部分を重なるように回転させ、内部から光を照らすことにより、通常の回転リール上のその任意の絵柄だけを光りながら回転しているように見せることができ、遊技者はその光を狙ってストップボタンを押し簡単に絵柄を揃えることを可能にする。【選択図】            図３
2005006996.tif 000002
【特許請求の範囲】
【請求項１】
開始操作後に回転する複数個の回転リールを、停止操作にて表示窓に停止した所定有効ライン上の絵柄の配列状態によってゲームを楽しむスロットマシンにおいて、通常の回転リールの動作や絵柄や絵柄配列に影響を与えないあくまで演出用の回転リール（目押しサポートリール）を、通常の回転リールの内側に通常の回転リールとは別々に回転できるように備えることを特徴とする目押しサポートリール付スロットマシン。
【請求項２】
請求項１の目押しサポートリールを使い、目押しサポートリールに光を通す部分と光を通さない部分を設け、通常の回転リール上にある任意の絵柄に合わせ目押しサポートリールの光を通す部分を重なるように回転させ、内部から光を照らすことにより、通常の回転リール上のその任意の絵柄だけを光りながら回転しているように見せることができ、遊技者はその光を狙ってストップボタンを押し、絵柄を揃えやすくすることを可能にする目押しサポートリール付スロットマシン。
【請求項３】
通常の回転リールのテープ全体が半透明な構造の時に、請求項１の目押しサポートリールを使い、外側に位置する通常の回転リールが回転動作を開始する前もしくは回転中又は停止後に、内部の目押しサポートリールの絵柄などを内部から光を照らし、が遊技者から透けて見えるようにすることを可能とする目押しサポートリール付スロットマシン。
【発明の詳細な説明】
【０００１】
【発明の属する技術分野】
本発明は遊技場に設置するスロットマシンに関する。
【０００２】
【従来の技術】
従来技術によれば、外周に複数のシンボルが配列された回転自在な内リールと、この内リールの外周を包むように配列され、その外周に複数のシンボルが配列されるとともに少なくとも１シンボル分の透明部が設けられた回転自在な外リールと、これらの内リール及び外リールを別個に回転並びに停止制御するリール制御手段とを備えたことを特徴とする物が（特開平０３−０６０６８１）に記されている。
【０００３】
シンボル表示窓の奥で回転されるリールを外リールと内リールとの二重構造にし、外リールには透明なリール体を用いて外リールを通して内リールのシンボルが観察できるようにしたものであるので外リールシンボルと内リールのシンボルとを組み合わせて新たなシンボルを構成することもできるようになるから、スロットマシンの外形を大きくすることなく、シンボルの種類も多様に変化させて遊技者に新たな興趣を与えることができる。そして外リールの回転が停止した後で内リールの回転を停止させる構成にすることによって、外リールだけではシンボルが特定されず、内リールを停止するまでゲームの興趣を持続させることが可能になるという物が（特開平０４−１１４６７６）に記されている。
【０００４】
外周に複数の絵柄が表示された内リールと、この内リールの外周に配置され、内リールと同軸線上で、かつ内リールとは独立して回転し、外周に複数の絵柄が表示されるとともに、外周に内リールの外周に表示された複数の絵柄のうち、少なくとも１個の絵柄を表示可能な表示窓を有する外リールと、内リールを回転駆動させるとともに、外リールを内リールとは独立して回転させる駆動手段と、この駆動手段を制御する駆動制御手段とを備えたスロットマシンにおいて、上記内リールの外周には、少なくとも透光性を有するとともに、内リールの内部には、その外周に表示された絵柄を投影できる発光源を内蔵し、前記外リールの表示窓には、不透明なスクリーン部を形成するとともに、該表示窓を除いて外リールの外周に遮光性を有するという物が（特開平０６−２５４２０９）に記されている。
【０００５】
シンボル表示装置は、外リールとこの外リールの内側で回転される内リールとからなり、外リールの不透明パターンと、このパターン内の透明部から観察される内リールの表示部とで新たな合成シンボルを形成するようにしたので、リールやシンボル等を増やさずともシンボルの組み合わせの変化に多様性が得られる。また、外リールの外周面を不透明にしたので、内リールが必要以上に観察されることがなく、従来の透明な外リールに比較してシンボル表示装置の観察に伴う煩雑感が解消されるという物が（特開平０９−７５５０６）に記されている。
【０００６】
複数種類の絵柄がおもてに配置された回転可能なリールを複数個備え、前記絵柄をリール表示窓上で停止させ、前記リールの停止時における前記リール表示窓上の絵柄の組み合わせから入賞を定め、所定数のメダルまたは玉を払い戻す遊技台であって、バックライトの照明により背後より付加的絵柄を映し出し、おもてに配置されている絵柄と合成して表示する機能を含むことを特徴とし、前記バックライトの照明により前記リール表示窓上へ映し出される付加的絵柄とおもての絵柄と合成される絵柄は、前記複数のリールの組み合わせで一つの絵柄を表すという物が（特開２０００−０６１０２７）に記されている。
【０００７】
透光性の部分を一部に備える外側回転リールと、ゲーム結果に対応する絵柄を描いてなる内側回転リールとの二重構造により回転リールを構成し、遊戯者の開始操作に応答して、すべての外側回転リールにつき、透光性の部分を前記表示窓の位置に移動させる一方、すべての内側回転リールの回転を開始させ、遊戯者の停止操作に応答して、内側回転リールの回転を順次停止させ、すべての内側回転リールが停止された後、必要に応じて、据えての外側回転リールの回転を開始させ、各回のゲーム毎に抽選動作によって決定されているゲーム結果に応答した表示状態で停止させるようにしたという物が（特開２００１−３４６９３３）に記されている。
【０００８】
少なくとも二種以上の特定図柄及び複数個の非特定図柄をリールの外周面に配置したスロットマシンであって、非特定図柄を所定の幅領域に配置する一方、特定図柄を非特定図柄よりも横に長くしてその左右両側のうち少なくとも一方側を前記所定の幅領域から突出させ、且つ、該一方側の突出部分を、彩色が施された略矩形状とすると共に、特定図柄の種類に応じて左右何れかに振り分けてなる為、図柄を容易に狙って揃えるという物が（特開２００２−３２５８８１）に記されている。
【０００９】
【発明が解決しようとする課題】
今まで考えられてきた回転リールを多重構造にした技術では、特開平０３−０６０６８１、特開平０６−２５４２０９のような外側回転リールに一部窓やスクリーンを備え、その部分に内側回転リールのシンボルや絵柄を表示するようなものがあるが、この場合リールの絵柄構成が複雑になってしまうと思われるのと、遊技者が絵柄を見ながらストップボタンで絵柄を揃える、という楽しみが半減してしまうと思われる。
【００１０】
特開平０４−１１４６７６、特開平０９−７５５０６、特開２０００−０６１０２７のような、外側回転リールと内側回転リールの絵柄やパターンの組み合わせにより、一つの絵柄やシンボルを構成するものがあるが、この場合もリールの絵柄構成が複雑になってしまうと思われるのと、たくさんの組み合わせパターンが生まれ、遊技者が何を狙って揃えれば良いか迷う可能性ができると思われる。
【００１１】
特開２００１−３４６９３３のような内側回転リールが停止した後に、外側回転リールがゲーム結果に応じた表示状態で停止するものがあるが、遊技者が内側回転リール停止操作後に演出があるため、内部抽選で当選した絵柄を取りこぼしてしまうことがあると思われる。
【００１２】
特開２００２−３２５８８１にあるような、図柄を左右のどちらかに寄せて配置することにより、遊技者がその図柄を狙って揃えることが容易にはなるが、左右どちらかの２通りしかできないと思われるので多数の図柄には対応ができないと思われる。
【００１３】
その他に、今までに無いような演出を加え、遊技者がさらにゲームを楽しむことができるスロットマシンを作りたい。
【００１４】
【課題を解決するための手段】
通常の回転リールの動作や絵柄や絵柄配列に影響を与えないあくまで演出用の回転リール（目押しサポートリール）を通常の回転リールの内側に通常の回転リールとは別々に回転できるように備え、目押しサポートリールに光を通す部分と光を通さない部分を設け、通常の回転リール上にある任意の絵柄に合わせ目押しサポートリールの光を通す部分を重なるように回転させ、内部から光を照らすことにより、通常の回転リール上のその任意の絵柄だけを光りながら回転しているように見せることができ、遊技者はその光を狙ってストップボタンを押し簡単に絵柄を揃えることを可能にする。
【００１５】
通常の回転リールのテープ全体が半透明な構造の時に、目押しサポートリールを使い、外側に位置する通常の回転リールが回転動作を開始する前もしくは回転中又は停止後に、内部の目押しサポートリールの絵柄などを内部から光を照らし、遊技者から透けて見えるようにして内部抽選による当選絵柄の表示やその他の表示をすることにより、遊技者へ当選の告知や演出を行うことができ、ゲームへの期待感をさらに向上させることが可能になる。この発明での特徴として目押しサポートリールはその外側にある通常の回転リールへの動作や絵柄や絵柄配列に影響を与える事がないため、今までにあるスロットマシンの技術と組み合わせやすいのでいろいろと応用していけると考えられる。
【００１６】
【発明の実施の形態】
発明の実施の形態を実施例にもとづき、図面を参照して説明する。図１はスロットマシン本体の外観図で一部内部のリール構成図である。通常、遊技者はメダル投入口４にメダルを数枚入れスタートレバー５を押下するとリール表示窓３の複数個のリールが回転する。それを見ながらタイミング良くストップボタン６を押下しそれぞれに対応するリールを止めその時にリール表示窓３に揃った絵柄の配列によりメダルを獲得する。
【００１７】
この時、遊技者がスタートレバー５を押下した後に通常の回転リールの動作は通常のスロットマシン同様に回転してストップボタン６を押下して止まる。本発明では通常の回転リールの動作に合わせた目押しサポートリールと内部ライトによる演出により遊技者に、より遊技しやすく、かつ楽しく遊技できるようになるものである。
【００１８】
図２は図１通常の回転リール１と目押しサポートリール２を別々に分解し拡大した図で、通常の回転リール１は全体が半透明になっているので、内部からライトで照らされると光を外へとおすため、絵柄を光らせて見せることができる。目押しサポートリール２は通常の回転リール１を演出するためのもので全体的には光を通さない素材でできているが、２ａや２ｂのように内部の光を通せるように透明もしくは半透明になっているものと、２ｃや２ｄのように演出用の絵柄がついていて内部からライトをあてるとその絵柄の部分が光るようにみえるものがついている。
【００１９】
図３は通常の回転リール１と目押しサポートリール２を組み合わせた図で実際に動作するときにはお互いが平行に並んで回転するが、この図は見やすいように若干横にずらして書いている。
【００２０】
図４は遊技者から見たリール回転中の図であり、ＢＩＧ絵柄７が光って回転し、その他の絵柄は暗いまま回転しているので、ストップボタンでＢＩＧ絵柄７を容易に狙って止める事ができるようになっている。これは図３のように通常の回転リール１の１ａに合わせ目押しサポートリール２の２ａが重なるように同じスピードで回転し、かつその部分が図１のリール表示窓３を通過するときに内部のライトを点灯することによりＢＩＧ絵柄７が光って見えるようになっている。
【００２１】
上の説明を図５と図６を使って説明すると、図５では通常の回転リール１の１ａと目押しサポートリール２の２ａが表示窓３を通過するときには、内部ライト８を点灯させることで、図４のようにＢＩＧ絵柄７が光って見える。図６では通常の回転リール１の１ａと目押しサポートリール２の２ａが表示窓３を通過しない時には、内部ライト８を消灯する。この動作を繰り返すことによって、遊技者から見ると図４のようにＢＩＧ絵柄７が光りながら回転しているように見せることができる。これを応用して１ａだけでなく、１ｂ、１ｃ、１ｄなどと２ａを組み合わせることによりその絵柄を光らせて回転することができる。
【００２２】
図７の右図は遊技者から見たリール回転中の図であり、遊技者から見るとリール回転中に絵柄スイカが光って浮き出ているように見えている。左図はその時の、通常の回転リール１と目押しサポートリール２の動作を表したもので、通常の回転リール１はそのまま回転しているが目押しサポートリール２は２ｃをリール表示窓で停止させ内部のライトを点灯することにより２ｃが光って見えるようになっている。
【００２３】
これを応用して２ｃを停止だけではなく、上方向や下方向に動かすことにより更に演出を増やすことができる。この時２ａを使うと光だけが動いて見える。また２ｃや２ａのような一マス分のではなく２ｄのような三マス分のものも使用可能である。また回転中だけでなく、回転前や停止後にも同様な演出が行える。
【００２４】
図８の右図は遊技者から見たリール回転中の図であり、遊技者から見ると通常にリールが回転しているように見えているだけのものである。左図はその時の、通常の回転リール１と目押しサポートリール２の動作を表したもので、通常の回転リール１はそのまま回転しているが目押しサポートリール２は２ｄをリール表示窓で停止させ内部ライトを点灯することにより内部からのライトを妨げず通常のスロットマシンと同じように全てが明るく見える状態になっている。この時通常の回転リール１全体が半透明な素材であるならば機械の内部が遊技者から見えてしまうので２ｄをくもりガラスのような光だけをとおす素材にするとよい。
【００２５】
目押しサポートリールの内側に、さらに同じような目押しサポートリールを備え目押しサポートリールを複数個組み合わせることにより演出をより高めることも可能である。
【００２６】
【発明の効果】
本発明は、通常の回転リールの動作や絵柄や絵柄配列に影響を与えないあくまで目押しサポートリールであり、通常の回転リール上にある任意の絵柄だけを光らせ回転することを可能にする。通常の回転リールのテープ全体が半透明な構造の時に、請求項１の目押しサポートリールを使い、内部から光を照らし、外側に位置する通常の回転リールが回転中や停止後に、内部の目押しサポートリールの絵柄などが遊技者から透けて見えるため、以下に記載する効果が期待できる。
１、  この目押しサポートリールは絵柄や絵柄配列に影響を与えないため、シンプルで遊技者に分かり易いスロットマシンである。
２、  通常の回転リール上にある、任意の絵柄だけ光らせて回転することができるので、そのとき遊技者はその絵柄を狙いやすくなり、表示窓上に停止することが容易になる。
３、  通常の回転リールが回転動作を開始する前もしくは回転中に、内部の目押しサポートリールの絵柄などを表示窓上に表示することができるため、ストップボタンを押す前に期待感が増すことができ、さらに通常の回転リールが停止した後に、内部の目押しサポートリールの絵柄などを表示窓上に表示して次のゲームへの期待感をあおる事ができるので、遊技者を楽しませることができる。
【図面の簡単な説明】
【図１】スロットマシンの外観図で一部内部のリール構成図
【図２】スロットマシンの通常の回転リールと目押しサポートリール
【図３】通常の回転リールと目押しサポートリールの説明図
【図４】動作中スロットマシンのリール表示窓の拡大図
【図５】内部ライトが点灯中の回転リールを横から見た断面図
【図６】内部ライトが消灯中の回転リールを横から見た断面図
【図７】動作中スロットマシンの通常の回転リールと目押しサポートリールの説明図とそのときのリール表示窓の拡大図
【図８】動作中スロットマシンの通常の回転リールと目押しサポートリールの説明図とそのときのリール表示窓の拡大図
【符号の説明】
１    通常の回転リール
１ａ  通常の回転リールのＢＩＧ絵柄７
１ｂ  通常の回転リールの小役絵柄チェリー
１ｃ  通常の回転リールの小役絵柄ベル
１ｄ  通常の回転リールの小役絵柄スイカ
２    目押しサポートリール
２ａ  目押しサポートリールの一マス分の表示窓
２ｂ  目押しサポートリールの三マス分の表示窓
２ｃ  目押しサポートリールの一マス分の演出用絵柄
２ｄ  目押しサポートリールの三マス分の演出用絵柄
３    スロットマシンのリール表示窓
４    メダル投入口
５    スタートレバー
６    ストップボタン
７    １ａと２ａの組み合わせにより光ながら回転するＢＩＧ絵柄７
８    内部ライト
９    通常の回転リール回転中に２ｃが内部ライトに照らされて浮き出る小役絵柄スイカ
【図１】
2005006996.tif 000003
【図２】
2005006996.tif 000004
【図３】
2005006996.tif 000005
【図４】
2005006996.tif 000006
【図５】
2005006996.tif 000007
【図６】
2005006996.tif 000008
【図７】
2005006996.tif 000009
【図８】
2005006996.tif 000010